(57)【要約】【課題】画鋲類を穿通する操作が容易であると共に、その穿通した画鋲類を確実に保持させて、各種の書類等を止め付けることが可能な掲示ボードを提供すること、さらに、掲示ボードを建物の壁部に安定した状態で取り付けるために、枠材をビス等の固定部材で確実に固定することができる掲示ボードを提供することことである。【解決手段】複数の木質繊維材を樹脂接着剤とともに熱圧縮成形してなる０．３５〜０．５の密度で特定される硬度に調整された木質繊維圧縮板２が、基板材である掲示ボード１、および、取付基板７ａと、その取付基板７ａの板面に垂直な向きに沿って設けられた嵌設凹部８とからなる取付け用の枠材７が、掲示ボード１の端縁部に嵌め込まれ、さらに、この枠材７が掲示ボード１の裏面側からビス９により固定されている掲示ボード１０である。【選択図】図５
2004322393.tif 000002
【特許請求の範囲】
【請求項１】
複数の木質繊維材を樹脂接着剤とともに熱圧縮成形してなる木質繊維圧縮板が、基板材であることを特徴とする掲示ボード。
【請求項２】
前記木質繊維圧縮板が、０．３５〜０．５の密度で特定される硬度に調整された請求項１に記載された掲示ボード。
【請求項３】
前記木質繊維圧縮板の表面側に、樹脂圧縮シート材等の表面材が設けられている請求項１又は２に記載された掲示ボード。
【請求項４】
取付基板と、その取付基板の板面に垂直な向きに沿って設けられた嵌設凹部とからなる取付け用の枠材が、掲示ボードの端縁部を嵌め込まれ、さらに、この掲示ボードの裏面側から固定部材により固定されている請求項１、２又は３に記載された掲示ボード。
【請求項５】
前記枠材が、アルミニウム材からなる請求項４に記載された掲示ボード。
【発明の詳細な説明】
【０００１】
【発明の属する技術分野】
本発明は、掲示用ボードおよび取付け用の枠材が端縁部に設けられている掲示ボードに関するものである。
【０００２】
【従来の技術】
従来、掲示ボードは、学校や会社のオフィスなどの建物の壁面等に取り付けられ、掲示ボードの面上に、各種の書類等を画鋲類（押しピン類）により止め付けることにより、その掲示機能が発揮されるのが一般的である。
【０００３】
掲示ボードに画鋲類を穿通させる操作は、画鋲類の針が約１ｃｍの長さのものであるため、その針を掲示ボードの表面材に貫通させ、さらにその針を基板材中にまで穿入させることにより保持させて利用するのが一般的用法である。すなわち、画鋲を穿通させることにより、掲示ボードでの画鋲類の保持状態が一層高められる。これにより、掲示ボードの表面に各種の書類を安定して止め付けることができる。
【０００４】
このように、掲示ボードは、その表面に各種の書類等が止め付けられるから、掲示ボードの表面は平面形であることが要請される。このため、従来の掲示ボードにおける基板材としては、ベニヤ板等の木製合板材が利用されることが多い。さらに、この基板材の表面には、使用性や装飾性などの点から、布帛類、樹脂シート類、コルクボード等の表面材が貼付されていることも多い。
【０００５】
【発明が解決しようとする課題】
しかしながら、従来の掲示ボードでは、その基板材が積層したラワン材等の間を接着剤で固定して形成されたベニヤ板等の木製合板で形成されているので、画鋲類を穿通させるには硬度が大きいために、人による通常の押圧力で画鋲類を穿通操作するのが困難であると理解されている。
【０００６】
このような困難性を解消するために、従来の掲示ボードでは、布帛類等が表面材として貼付されていることもある。しかし、その表面材は柔軟質であって、しかも、５ｍｍ程度の薄層となっていることが多い。この表面材に対しては、画鋲類の穿通させることは容易であるが、その表面材に画鋲類を安定して保持させるのが困難であるという欠点がある。
【０００７】
掲示ボードの建物の壁面等への取り付けは、従来、掲示ボードの基板材に固定した木製角材やＬ字状の金属製の枠材を介して行われるのが一般的である。このため、木製角材やＬ字状の金属製の枠材が掲示ボードの基板材に確実に固定されていることが必要となる。
【０００８】
そこで、本発明は、上記した従来の掲示ボードにおける欠点を解消し、画鋲類を穿通する操作が容易であると共に、その穿通した画鋲類を確実に保持させて、各種の書類等を止め付けることが可能な掲示ボードを提供すること、さらに、掲示ボードを建物の壁部に安定した状態で取り付けるために、枠材をビス等の固定部材で確実に固定することができる掲示ボードを提供することを目的とした。
【０００９】
【課題を解決するための手段】
上記した目的を達成するため、先ず、本発明の掲示ボードは、複数の木質繊維材を樹脂接着剤とともに熱圧縮成形してなる木質繊維圧縮板が、基板材であることを特徴とする
このように、本発明の掲示ボードは、その基板材として木質繊維圧縮板を使用するものである。この木質繊維圧縮板は、複数の木質繊維材を樹脂接着剤とともに熱圧縮成形して得られる主として平板形のハードボードであって、ＭＤＦ（Ｍｅｄｉｕｍ  Ｄｅｎｓｉｔｙ  Ｆｉｂｅｒｂｏａｄ）とも呼ばれている。この木質繊維圧縮板は、間伐材や再生材等を原料として製造するものであるから、木材の新たな伐採を防止することに繋がるため、木材のリサイクルという観点から、資源の有効利用、ひいては環境保全に貢献できるものである。
【００１０】
木質繊維圧縮板は、現在、建材、家具、楽器等の広い範囲で応用されている。しかし、木質繊維圧縮板を掲示ボードの基板材に応用された例はない。この木質繊維圧縮板によれば、人の通常の押圧力により、画鋲類を容易に穿通するように操作でき、しかも、その穿通した画鋲類を掲示ボードに安定して保持させることが可能であるという知見を得て、本発明を完成するに至ったものである。
【００１１】
本発明の掲示ボードにおける木質繊維圧縮板は、０．３５〜０．５の密度で特定される硬度のものであることが好ましい。木質繊維圧縮板の密度がこの範囲であると、人による通常の押圧力で、画鋲類の針を木質繊維圧縮板に容易に穿通させるように操作することが可能であり、さらに、この穿通した画鋲類を安定した状態で掲示ボードに保持させることができる。
【００１２】
個人差があり一定しないが、木質繊維圧縮板の密度が０．３５未満であると、軟弱過ぎるため、画鋲類を穿通させることは容易であるが、その穿通した画鋲類を掲示ボードに安定して保持させるのが困難であることが多い。また、木質繊維圧縮板の密度が０．５を超える場合、人による通常の押圧力により画鋲類を穿通させるには、硬度が大きいため、画鋲類を掲示ボードに保持させるのが困難であることが多い。従って、いずれの場合も好ましくない。
【００１３】
さらに、本発明の掲示ボードについては、その木質繊維圧縮板の表面に、従来と同様の布帛類、発泡塩化ビニル樹脂シート材等の樹脂シート類、コルクボード等の表面材を貼付して構成することもできる。この場合、その機能は従来と同様である。さらに、木質繊維圧縮板の裏面に樹脂シート類等の反り止めシート材を貼付して構成することもできる。
【００１４】
本発明の掲示ボードには、取付板と、その取付板の板面に垂直な向きに沿って設けた嵌設凹部とからなる取付け用の枠材が固定部材により固定された構成が含まれる。
【００１５】
ところで、木質繊維圧縮板は、その圧縮成形時に、複数の木質繊維材が縦横に絡まった状態で供給されるために木質繊維の向きがランダムな形態で圧縮されるが、圧縮終了時には、各木質繊維材は形成される板面に沿った状態で配列される割合が多いという特質がある。このため、枠材を固定するビス等の固定部材の軸が木質繊維圧縮板の板面に沿った向きにあると、ビス等の固定部材が掲示ボードの木質繊維圧縮板から抜けて離脱し易いという欠点がある。
【００１６】
このような木質繊維圧縮板における欠点を解消するため、本発明の掲示ボードでは、取付基板の板面に垂直な向きに嵌設凹部が形成されている枠材を使用した。すなわち、枠材の嵌設凹部内に掲示ボードの端縁部を嵌め込んで係止させ、さらに木質繊維圧縮板の板面に対し垂直な向きにビス等の固定部材を設けることにより、枠材を掲示ボードに確実に固定することを可能とした。
【００１７】
さらに、枠材を固定するビス等の固定部材は、掲示ボードに対しその裏面側から設けられるので、その固定部材の頭部が掲示ボードの表面側に露出することがない。
【００１８】
上記した枠材が、アルミニウム材からなるものであることを含む。このアルミニウム材からなる枠材による場合、枠材を固定した掲示ボード全体の重量を軽量化することができ、さらに、掲示ボードと枠材との固定状態を一層高めることができる。
【００１９】
【発明の実施の形態】
本発明に係る掲示ボードの実施の形態を図に基づいて説明する。
【００２０】
図１に、本発明に係る掲示用ボード１を示した。掲示用ボード１は、基板材としての木質繊維基板２の表面に、発泡塩化ビニル樹脂圧縮シート材３を貼着したものである。掲示ボード１について、１ａはの表面側、１ｂは裏面側、１ｃは端縁部である。また、５は、木質繊維圧縮板２に対する反り止めシート材である。
【００２１】
発泡塩化ビニル樹脂圧縮シート材３は、画鋲６の針６ａの穿通を容易にすることができる柔軟質のものである。すなわち、人による通常の押圧力により、画鋲６の針６ａを穿通させる際、発泡塩化ビニル樹脂圧縮シート材３は、その柔軟質に基づいて、その穿通部分が弾性的に変形するため、穿通した画鋲６での反作用は比較的に小さい。このため、画鋲６の針６ａを容易に発泡塩化ビニル樹脂圧縮シート材３に穿通させることができる。
【００２２】
木質繊維圧縮板２の面に対しては、掲示ボード１の表面に貼付されている発泡塩化ビニル樹脂圧縮シート材３を貫通した画鋲６の針６ａの先端部を容易に穿通させることができる。
【００２３】
木質繊維圧縮板２は、熱圧縮成形時の圧縮率を加減することにより、それを形成する木質繊維材の密度を０．３５〜０．５となるように硬度を調整することができる。この硬度調整により、人による通常の押入力で、画鋲６の針６ａの穿通保持操作を容易に行うことが可能な掲示ボード１を得ることができる。
【００２４】
ところで、木質繊維圧縮板２は、複数の木質繊維材その形成される板面に沿って配列される割合が多いという特質があるため、枠材７を木質繊維圧縮板２に確実に固定するのが困難であるという欠点がある。
【００２５】
この欠点を解消するため、本発明では、図２及び図３に示すように、掲示ボード１の端縁部１ｃに枠材７を固定した掲示ボード１０の構成とした。
【００２６】
枠材７は、図４及び図５に示すように、取付基板７ａを備え、取付基板７ａの端縁上部に屈曲状態の屈曲壁７ｂが形成され、さらに屈曲壁７ｂに対し中間壁７ｃが離間して並列的に形成されることによって、嵌設凹部８が取付基板７ａの板面に沿って垂直に形成されている。また、中間壁７ｃには、複数のビス孔７ｄが一定間隔で設けられている。
【００２７】
すなわち、掲示ボード１０では、枠材７の嵌設凹部８に掲示ボード１の端縁部１ｃを嵌め込んで係止させ、中間壁７ｃのビス孔７ｄに設けたビス９により固定されている。この場合、ビス９の軸９ａは木質繊維圧縮板２の板面に対して垂直に設けられているから、木質繊維圧縮板２の板面と直交してビス９が設けられることになるので、枠体７を掲示ボード１の裏面側から木質繊維圧縮板２の端縁部に確実に固定することができる。また、取付基板７ａに形成されている複数の取付け孔７ｅにビス等を設けて、掲示ボード１を建物の壁面に安定した状態で取り付けることができる。
【００２８】
この場合、取付け用のビス等は、掲示ボード１０の裏面側１ｂに設けられるので、掲示ボード１０が建物の壁面に取り付けられた状態で、枠材７を固定するビス９の頭部９ｂが掲示ボード１０の表面側１ａに露出することがない。このため、建物の壁面に取り付けられた掲示ボード１における意匠的効果が高められている。
【００２９】
特に、枠材７がアルミニウム材からなるものである場合には、その枠材７の軽量性に基づき、枠材７が固定された掲示ボード１の全体の軽量化を図り得ると共に、掲示ボード１と枠材７との間の固定状態を、より一層良好にすることができる。
【００３０】
【発明の効果】
上述したように本発明の掲示ボードは構成されるので、次のような効果が発揮される。
【００３１】
本発明の掲示ボードは、その基板材が木質繊維圧縮板によって構成されているので、画鋲類を穿通させる操作を人による通常の押圧力でも容易に行うことができると共に、その穿通させた画鋲類を掲示ボードに安定して保持させることができる。このように、本発明の掲示ボードによれば、画鋲類の穿通操作と保持状態を得ることができるから、画鋲類による各種の書類の止め付ける操作を極めて容易に行うことができる。
【００３２】
上記した本発明の掲示ボードにおいて、その端縁部に枠材を固定した構成によれば、掲示ボードの端縁部を枠材の嵌設凹部に嵌め込んで係止させ、さらに、木質繊維圧縮板の板面と直交してビス等の固定部材の軸を及ばせることにより、枠材を掲示ボードに確実に固定することができる。これによって、掲示ボードを建物の壁面等に安定した状態で取り付けることができる。
【００３３】
さらに、枠材を固定するビス等の固定部材が掲示ボードの裏面側から設けられることにより、そのビス等の固定部材の頭部が掲示ボードの表面側に露出することがないので、建物の壁に取り付けられた掲示ボードの意匠的効果を高めることができる。
【図面の簡単な説明】
【図１】本発明に係る実施の形態の掲示ボードの部分斜視図である。
【図２】本発明に係る実施の形態における枠材が端縁部に固定された掲示ボードの説明する平面図である。
【図３】本発明に係る実施の形態における枠材が端縁部に固定された掲示ボードの正面図である。
【図４】本発明に係る実施の形態の掲示ボードにおいて、その端縁部に固定される枠材を示す縦断面図である。
【図５】本発明に係る実施の形態における枠材が端縁部に固定された掲示ボードの部分斜視図である。
【符号の説明】
１、１０  掲示ボード
１ａ  表面側
１ｂ  裏面側
１ｃ  端縁部
２  木質繊維圧縮板
３  発泡樹脂圧縮シート材
３ａ  表面
４  接着剤層
５  反り止めシート材
６  画鋲
６ａ  針
７  枠材
７ａ  取付基板
７ｂ  屈曲壁
７ｃ  中間壁
７ｄ  ビス孔
８  嵌設凹部
９  ビス
９ａ  軸
【図１】
2004322393.tif 000003
【図２】
2004322393.tif 000004
【図３】
2004322393.tif 000005
【図４】
2004322393.tif 000006
【図５】
2004322393.tif 000007